(57)【要約】【課題】防刃性、とくに鋭利な刃物及びアイスピックによる耐刺突き特性に優れ、防刃シートを女性の胸に対応した湾曲面を有する形状に形成することにより、女性の胸を強く押さえつけないことにより着用感が良く、着用者の運動機能を低下させない女性用防刃チョッキを提供すること。【解決手段】アウター型又はインナー型のチョッキ本体における前身頃の内部に、アラミド繊維で形成された高密度平織り織布の前面全体に炭化珪素粒子又は炭化珪素粒子を主材料とする粒子が固定された防刃シート基材を素材とする、女性の胸部全体の広さに合わせた大きさを有し、女性の胸部の膨らみを被う高さの湾曲面が形成された、防刃カップが６枚以上重ね合わせて設けられ、更に最後方の防刃カップの内側に防刃カップと同じ形状に形成された１枚のクッションカップを設けた。【選択図】図１
2006052512.tif 000002
【特許請求の範囲】
【請求項１】
アウター型又はインナー型のチョッキ本体における前身頃の内部に、アラミド繊維で形成された高密度平織り織布の前面全体に炭化珪素粒子又は炭化珪素粒子を主材料とする粒子が固定された防刃シート基材を素材とする、女性の胸部全体の広さに合わせた大きさを有し、女性の胸部の膨らみを被う高さの湾曲面が形成された、防刃カップが６枚以上重ね合わせて設けられ、最前方の防刃カップの前面又は最後方の防刃カップの内側のうちの少なくとも後者には、アラミド繊維不織布を素材とする防刃カップと同じ形状に形成された１枚のクッションカップが設けられていることを特徴とする女性用防刃チョッキ。
【請求項２】
前記防刃カップの湾曲面は、女性の胸全体の広さに合わせて型抜きされて形成された防刃シート基材の、左右の側縁の一部個所から横中央方向の途中個所向けてスリット又は横Ｖ字形状の切欠きを形成し、このスリット又は切欠きの縁に沿った部分を重ね合わせて接合し、或いは突き合わせて接合することにより形成されている請求項１に記載の女性用防刃チョッキ。
【請求項３】
前記防刃シートが７枚重ね合わせて用いられている請求項１又は２に記載の女性用防刃チョッキ。
【発明の詳細な説明】
【技術分野】
【０００１】  本発明は、チョッキ本体の前身頃の内部に、女性の胸部の体型に合わせた湾曲面が形成された６枚以上の防刃カップが設けられ、最後方の防刃カップの内側にクッションカップが設けられた、刃物にとる切りつけ、とくに鋭利な刃物及びアイスピックによる耐刺突き特性に優れた、女性の胸を圧迫させない着用感に優れた女性用防刃チョッキに関する。
【背景技術】
【０００２】  防刃チョッキは、暴漢による刃物攻撃から身を守るチョッキであり、その着用方法の違いにより、衣服の外側から着用するアウター型のものと、衣服の内側に着用するインナー型の２種類のものがあり、ナイフや包丁による攻撃を受けても着用者の胸に届くまで切り裂かれない耐刃物特性と、鋭利な刃物及びによる刺突きを受けても、着用者の胸まで届かない耐刺突き特性を有する。
この耐刃物特性と耐刺突き特性は、防塵チョッキの防刃素材とその積層枚数の違いにより異なり、例えば、特開平４−１４２７７号公報に記載の防弾防刃用防護具では、全芳香族ポリアミド繊維織物の積層体の内層又は外層に近接して、高硬度セラミックスを固着した全芳香族ポリアミド繊維織物を一層以上積層した素材が用いられている。
そして、従来の防刃チョッキは、防刃面が女性の胸の膨らみに対応した形状に形成されていなかった。【０００３】
【特許文献１】特開平４−１４２７７号公報
【発明の開示】
【発明が解決しようとする課題】
【０００４】
【０００５】  しかしながら、特開平４−１４２７７号公報に記載の防弾防刃用防護具では、高硬度セラミックスを固着していない全芳香族ポリアミド繊維織物を積層させた部分があるために、鋭利な刃物及びアイスピックによる耐刺突き特性が劣り、例えば、同公報に記載の「表２」によれば、アイスピック対する貫通試験では、２０層まで貫通することが認められている。このため、鋭利な刃物及びアイスピックによる刺突きに対応させるためには、全体で２０層以上の織物を積層させる必要があり、この結果、防刃用防護具が厚くなって着用感が悪く、着用者の運動機能を低下を招く原因になっていた。
そして、上述したように、従来の防刃チョッキは、略平坦な面、又は全体が若干反った形状に形成された防刃面を有しているため、女性が防刃チョッキを着用すると、防刃素材が女性の胸を強く圧迫するため、着用感が悪く、着用者の運動機能も低下させていた。【０００６】  本発明はこのような課題を解決するために提案されたものであり、アラミド繊維による高密度平織り織布の前面に炭化珪素粒子を固定させた防刃シートを女性の胸の膨らみに対応した高さの曲面を有するカップ状に形成した防刃カップを６枚以上重ね合わせて設けることにより、防刃性、とくに鋭利な刃物及びアイスピックによる耐刺突き特性に優れ、防刃シートを女性の胸に対応した湾曲面を有する形状に形成することにより、女性の胸を強く押さえつけないことにより着用感が良く、着用者の運動機能を低下させない女性用防刃チョッキを提供することにより上述した課題を解決しようとするものである。
【課題を解決するための手段】
【０００７】  以上の課題を解決するための手段である請求項１に記載の女性用防刃チョッキは、アウター型又はインナー型のチョッキ本体における前身頃の内部に、アラミド繊維で形成された高密度平織り織布の前面全体に炭化珪素粒子又は炭化珪素粒子を主材料とする粒子が固定された防刃シート基材を素材とする、女性の胸部全体の広さに合わせた大きさを有し、女性の胸部の膨らみを被う高さの湾曲面が形成された防刃カップが６枚以上重ね合わせて設けられ、最前方の防刃カップの前面又は最後方の防刃カップの内側のうちの少なくとも後者には、アラミド繊維不織布を素材とする防刃カップと同じ形状に形成された１枚のクッションカップが設けられていることを特徴とする。【０００８】  本発明の女性用防刃チョッキは、着用者の胸部を、刃物による切りつけ、アイスピックによる刺突きから守るためにあり、防刃面は、高密度アラミド繊維の前面全体に、炭化珪素粒子を固定した防刃シートで形成された防刃カップを６枚以上重ね合わせたもので形成されている。
アラミド繊維は、１００ヤーンの繊維を高密度に平織りした織布を用いることが好ましく、高密度は、１０ｃｍ当たり、各１０５±２本の縦糸と横糸を平織りすることにより得られたものが好ましい。即ち、繊維をこの程度に高密度に平織りして、その前面全体に炭化珪素を固定させた防刃シートを用いると、繊維密度が高いために、アイスピックによる刺突きに対する通過が抑えられ、炭化珪素粒子による防刃機能を効果的に向上させる。炭化珪素粒子が形成された面が高い防刃機能を持つことは、上記従来技術の他、数多くの公知技術により知られている。上述した条件を満たすアラミド繊維による織布は、株式会社帝人による商品名「Ｔｗａｒｏｎ（登録商標）」、商品番号ＳＲ５０９である。
炭化珪素粒子は、上記織布の前面全体にコーティングにより固定させる。例えば、上記織布の片面に、４５０±４０ｇ／ｍ２の炭化珪素粒子を略均一に固定させる。また、防刃機能を更に向上させるために、炭化珪素粒子４５０±４０ｇ／ｍ２に対して、他の鉱物粒子を９５ｇ／ｍ２を均等に混入させて固定させてもよい。このような防刃シートを少なくとも６枚用いると、鋭利な刃物及びアイスピックによる刺突きから身を守ることができる防刃面になり、しかも女性の胸を強く圧迫しない。【０００９】  このような防刃シートを用いて形成される女性用の防刃カップは、炭化珪素粒子が固定された面を前面に向けた、女性の胸部の膨らみを収容する程度の前方に向けた高さを有する１つの湾曲部を有する。即ち、防刃カップ全体に１つの大きな湾曲部を形成する。この湾曲部は極力緩やかな傾斜面を持つ略シェル形状にすることが好ましい。【００１０】  この形状は、例えば、女性の胸部全体の広さに合わせた大きさに型抜きした防刃シートの左右の側縁の一部個所から内側に途中部に向けてそれぞれ横Ｖ字形状に切欠き、この切欠いたＶ字形状の縁に沿った部分を重ね合わせて接合させ、或いは突き合わせて接合することにより形成する。
このようにすると、女性の胸部の膨らみに対応した高さを有する曲面が容易に形成される。Ｖ字形状の縁に沿った部分を重ね合わせて接合させると、この部分が厚くなるので、接合部分からアイスピックなどの刃物が接合部分から侵入し難くなる。これらの接合方法は、鋲留め、ステープル留め、粘着テープを裏面で貼る方法などが挙げられる。突き合せた部分を接合させる方法には、粘着テープを裏面で貼る方法、アルミなど比較的柔らかい金属で形成された断面形状がＨ型の接合金具を利用してカシメ留める方法などが挙げられる。また、各防刃シートの一部の枚数を、接合部の位置をずらして形成して、重ね合わせた防刃シートの各接合部が全部同じ位置にならないようにして、防刃パネルの厚みを極力抑え、鋭利な刃物及びアイスピックによる刺突きに対して弱い部分を無くすようにしてもよい。【００１１】  防刃カップは、６枚以上、好ましくは６〜１０枚、最適には７枚重ねて、防刃面を形成し、その最後面を形成する防刃カップの背面に、アラミド繊維をニードルパンチ又は他の公知技術による固定方法で固定して製造した５ｍｍ厚程度の不織布を素材とする、防刃カップと同じ形状及び大きさのクッションカップ（保護カップ）を重ねて、これらを防刃チョッキの前身頃の表生地と裏生地の間に収容する。クッションカップは、防刃チョッキを着用したときに、防刃カップ、とくに防刃カップの周縁の部分が着用者の胸部に優しく接触するようにするためにある。【００１２】  チョッキ本体は、上記防刃カップ及びクッションカップを安定した姿勢で収容し、着用者の胸部に安定した姿勢で位置させることができるものであれば足り、ときにその形状については限定しない。使用する生地についても、とくに限定はしないが、メッシュ生地で形成すると、厚い季節には着用者の体が蒸れない。【００１３】  また、最前方の防刃カップの前面に、アラミド繊維を素材とする不織布で形成された防刃カップを位置させて、防刃カップの前面をソフトな感触に仕上げてもよい。【００１４】  以上のような構造を持つ女性用防刃チョッキは、女性が着用した場合には、女性の胸のふくらみを強く圧迫しないので、着用感が良い。また、各防刃シートが重ね合わせて防刃パネルを形成しているために、着用者の運動に対して若干の柔軟性もある点でも着用感が良く、着用者の運動機能を低下させない。また、この防刃チョッキを着用した上から上着を着用することも可能であり、上着を着用すると、防刃チョッキを着用していることが他の人からわからない程である。【００１５】  そして、上記防刃カップを形成している防刃シートについて、財団法人日本紡績検査教会東部事業所に依頼して、次の耐刺突特性試験（ＮＩＪ−ｏ１１５．００準拠）を行なった。
１．  使用刃物
▲１▼出刃包丁（新品の市販品）    ：刃渡り１５８ｍｍ、
▲２▼アイスピック                ：爪長    ５４ｍｍ
２．  防刃シート
１）  １００ヤーンの繊維による１０ｃｍ当たり、各１０５±２本の縦糸と横糸を平織りにした織物の表面にシリカ粒子をコーティングした０．４ｍｍ厚の防護シートを７枚、アラミド繊維をニードルパンチで固定した１４００ｇ／ｍ２、５ｍｍ厚の不織布（フェルト）よりなるクッションシートを１枚、重ね合わせたものを用いた。
３．  試験装置  ：防刃性能試験機
４．  試験方法  ：衝撃エネルギー  ２５Ｊ
１）刃物を含む落下物の重量        ２．５ｋｇ
２）試験個所から刃先までの高さ  １００ｃｍ
３）実験台に２ｃｍ前後のよくこねた粘土を置く。
４）次に粘度の上にアラミド繊維をニードルパンチで固定した１０００ｇ／ｍ２  ５ｍｍ厚の不織布（フェルト）を敷く。
５）その上にクッションシートを置く。
６）上記条件にて試験個所へ自由落下させる。
５．  入射角  ：９０度の角度から衝撃を与える。
６．  試験個所
１）試験試料の端から５１ｍｍ離れた個所
２）従前の衝撃試験個所から５１ｍｍ以上離れた個所
７．  衝撃条件  ：着用状態を想定し、ナイロン製加工生地で押さえ衝撃を与えた。
以上の試験の結果、２５ジュール耐刃試験において、アイスピック・出刃包丁に耐刃できるという試験成績が得られた。
【発明を実施するための最良の形態】
【００１６】  本発明を実施するための最良の形態は、次の実施例のとおりである。
【実施例】
【００１７】  図１は、本発明実施例の女性用防刃チョッキを広げて示した正面図、図２は、同じく背面図、図３は、本発明実施例の女性用防刃チョッキの着用形状を示した正面図、図４は、同じく背面図である。【００１８】  これら各図に示すように、本発明実施例の女性用防刃チョッキ１は、いわゆるインナー型と呼ばれる、上着の下、或いはブラウスの下に着用できるタイプのものであり、チョッキ本体２は、表生地２ａと上下２枚の裏生地２ｂ，２ｃの一部を上下に重ね合わせた前身頃２Ａと、後身頃２Ｂを有し、これらの各周囲をバイアステープ２ｄで縫合した。
このため、前身頃２Ａには、表生地２ａと上下２枚の裏生地２ｂ，２ｃとにより、防刃カップ３と保護シート４を収容する袋部２Ｃが形成されている。【００１９】  前身頃２Ａの上縁部の中央は、着用者の首の動きを楽にする湾曲形状の丸首部分２ｆが形成されており、前身頃２Ａの左右上端部には、上方に長く突出した肩掛けベルト部２ｈ，２ｉが形成されており、左右の肩掛けベルト部２ｈ，２ｉの先端面の裏面には面ファスナーが５，６が縫合により固定されている。そして、後身頃２Ｂの左右上部の外側面には、この左右の面ファスナー５，６が係止する面ファスナー７，８が縫合により固定されている。【００２０】  そして、前身頃２ａにおける左右の縁の下部は、左右方向に突出さした形状を有し、この左右の突出部分２ｇ，２ｋの各先端部には、両端に幅広いゴムテープ９，１０の各一端部が縫合され、各ゴムテープ９，１０の各他端部には、裏面に面ファスナー１１，１２が縫合された生地２Ｌ，２Ｒが接続され、後身頃２Ｂの外側面の中央下部には、これら面ファスナー１１，１２が係止する面ファスナー１３が左右方向に幅広く縫合により固定されている。【００２１】  チョッキ本体２はこのような形状を有し、図示するチョッキ本体２は、前身頃と後身頃がメッシュ生地で形成されているが、織布又は合成繊維シートなどで形成しても構わない。そして、防刃カップ３とクッションカップ４は、チョッキ本体２の前身頃２Ａの裏生地２ｂ，２ｂの上下に重ね合わせた部分を広げて形成した開口から、前身頃２Ａの内部に収容する。防刃カップ３は７枚重ね合わせて収容され、最後方の防刃カップ３の内側にクッションカップ４が位置するように収容する。【００２２】  図１及び図２を参照しつつ図３及び図４に示すように、この女性用防刃チョッキ１を着用時には、前身頃２Ａと後身頃２Ｂの間に上半身を入れ、左右の肩掛けベルト部２ｈ，２ｉの各先端部を肩から背中の方に向け、その先端部の面ファスナー５，６を、後身頃２Ｂの左右上部に位置する面ファスナー７，８の対応面に重ね合わせて係止させる。
そして、前身頃２Ａの左右側部の突出部分２ｇ，２ｋからその側方の各ゴムテープ９，１０及び面ファスナー１１，１２が縫合された生地２Ｌ，２Ｒを後身頃２Ｂの後方にまわし、その先端の面ファスナー１１，１２を後身頃２Ｂの下部に位置する面ファスナー１３に重ね合わせて係止させる。
このようにすると、女性用防刃チョッキ１は、女性の上半身に密着した状態で着用できる。【００２３】  図５は、本発明実施例の女性用防刃チョッキ１に用いられている７枚の防刃カップ３とクッションカップ４を前後に間隔を設けて示した斜視図で示しており、この図に見られるように、防刃カップ３は、７枚重ね合わせて使用される。防刃カップ３の左右の縁部から対向方向に形成されている線３ａ，３ｂは、後述する重ね合わせにより形成された線である。そして、最後方の防刃カップ３の内側（背面側）に、防刃カップ３と同じ形状及び大きさに形成された５ｍｍ厚の不織布で形成されたクッションカップ４が１枚、重ね合わせて設けられる。【００２４】  図６は、最前方の防刃カップ３の前面と最後方の防刃カップ３の内側にクッションカップ３，３０を配置させた他の実施例を示しており、この図に見られるように、最前方の防刃カップ３の前面にクッションカップ３０を設けると、女性用防刃チョッキを着用したときに、防刃カップ３の前面のザラザラした面がチョッキ本体の生地を通して手及び腕に触れることがない。【００２５】  図７は、図５及び図６に示す防刃カップ３の中央縦断面図であり、この図に見られるように、防刃カップ３は、女性の胸部の膨らみを押さえつけないで被うことができる形状に形成されており、この形状は、防刃カップ３の上端から中央部に向けて緩やかな斜面で形成され、それ以外の周囲は、内側に向かうに従って大きな角度の傾斜面で形成され、前方に突出した部分２ｓは、同じ高さで左右に広く形成されており、防刃カップ３の前面に炭化珪素粒子Ｄが固定された面が位置する。【００２６】  図８は、防刃カップ３を形成する前の防刃シート３Ｘを型抜きした形状を正面図で示しており、この図に見られるように、防刃シート３Ｘは、１００ヤーンのアラミド繊維を１０ｃｍ当たり、各１０５±２本の縦糸と横糸を平織りすることにより形成された高密度織布３Ｙの片面に炭化珪素粒子Ｄが固定された材料で形成されており、この防刃シート３Ｘをトムソン加工などの型抜き方法により、女性の胸部全体の広さ及び形状に合わせたシャツの前身頃の如く形状に型抜きし、同時に、その両縁の中央辺りの部分から対向方向に横Ｖ字形状の切欠き部Ｖ１，Ｖ２を形成する。横Ｖ字形状の切欠き部Ｖ１，Ｖ２に代えて、スリットを形成してもよい。【００２７】  図９は、曲面状に形成した完成状態の防刃カップ３を背面図で示しており、図８に示す如き形状に型抜きした防刃シート３Ｘに形成されている左右の切欠き部Ｖ１，Ｖ２の縁部１１ｔ，１１ｐの周辺面を図９に示すように重ね合わせて、この重ね合わせた部分Ｇ１，Ｇ２をスレープルＴ，Ｔで止める。この重ね合わせる向きは、切欠き部Ｖ１，Ｖ２の上方の面が前面に向けられるようにして、刃物及びアイスピックの先端部が引っ掛かり難くようにすることが好ましい。このようにすると、曲面を持つ防刃カップ３が出来上がる。図５及び図６に示すクッションカップ３，３０も同様の方法で防刃カップ３と同じ形状に形成する。【００２８】  図１０は、図８に示す防刃シートに形成されているＶ字形状の切欠き部Ｖ２，Ｖ２の縁部１１ｔ、１１ｐを重ね合わせて固定する他の方法を示した防刃カップ３の背面図であ���、この図に見られるように、重ね合わせた部分Ｇ１，Ｇ２の背面から粘着テープＫ，Ｋで固定して、防刃カップ３の形状が維持されるようにしても良い。
【図面の簡単な説明】
【００２９】
【図１】    図１は、本発明実施例の女性用防刃チョッキを広げて示した正面図である。
【図２】    図２は、同じく背面図である。
【図３】    図３は、本発明実施例の女性用防刃チョッキの着用形状を示した正面図である。
【図４】    図４は、同じく背面図である。
【図５】    図５は、本発明実施例の女性用防刃チョッキに用いられている７枚の防刃カップとクッションカップを前後に間隔を設けて示した斜視図である。
【図６】    図６は、最前方の防刃カップの前面と最後方の防刃カップの内側にクッションカップを配置させた他の実施例を示した斜視図である。
【図７】    図７は、図５及び図６に示す防刃カップの中央縦断面図である。
【図８】    図８は、防刃カップを形成する前の防刃シートを型抜きした形状を正面図である。
【図９】    図９は、曲面状に形成した完成状態の防刃カップを示した背面図である。
【図１０】    図１０は、図８に示す防刃シートに形成されているＶ字形状の切欠き部の縁部を重ね合わせて固定する他の方法を示した防刃カップの背面図である。
【符号の説明】
【００３０】    １    女性用防刃チョッキ
２    チョッキ本体
２Ａ  前身頃
２Ｂ  後身頃
２Ｃ  袋部
３    防刃カップ
３Ｘ  防刃シート
５    面ファスナー
６    面ファスナー
７    面ファスナー
８    面ファスナー
９    ゴムテープ
１０    ゴムテープ
１１    面ファスナー
１２    面ファスナー
１３    面ファスナー
３０    クッションカップ
Ｄ    炭化珪素粒子
Ｇ１，Ｇ２  重ね合わせた部分
Ｖ１，Ｖ２  切欠き部
Ｔ    ステープル
Ｋ    粘着テープ
【図１】
2006052512.tif 000003
【図２】
2006052512.tif 000004
【図３】
2006052512.tif 000005
【図４】
2006052512.tif 000006
【図５】
2006052512.tif 000007
【図６】
2006052512.tif 000008
【図７】
2006052512.tif 000009
【図８】
2006052512.tif 000010
【図９】
2006052512.tif 000011
【図１０】
2006052512.tif 000012